【手続補正書】
【提出日】平成18年12月7日(2006.12.7)
【手続補正１】
【補正対象書類名】明細書
【補正対象項目名】発明の名称
【補正方法】変更
【補正の内容】
【発明の名称】印刷システム及びそのジョブ処理方法、及び、印刷装置
【手続補正２】
【補正対象書類名】明細書
【補正対象項目名】特許請求の範囲
【補正方法】変更
【補正の内容】
【特許請求の範囲】
【請求項１】
第１ジョブの後に印刷実行要求を受付けた第２ジョブを含む複数のジョブの印刷処理を特定タイプのシート処理装置に接続可能な印刷装置により実行可能にした印刷システムであって、
前記印刷装置に前記特定タイプのシート処理装置が接続されている場合に、前記第１ジョブの印刷処理が完了する前に前記第２ジョブの印刷処理を開始することを許可する制御手段を有し、
前記制御手段は、
前記印刷装置に前記特定タイプのシート処理装置が接続されていない場合に、前記第１ジョブの印刷処理が完了する前に前記第２ジョブの印刷処理を開始することを禁止することを特徴とする印刷システム。
【請求項２】
前記制御手段は、前記印刷装置に前記特定タイプのシート処理装置が接続されていない場合に、前記第１ジョブの印刷処理が完了する前に前記第２ジョブの印刷処理を開始することを禁止し、且つ、前記第１ジョブと前記第２ジョブのどちらのジョブの印刷処理を実行するかを優先順位に基づいて決定する、ことを特徴とする請求項１に記載の印刷システム。
【請求項３】
前記制御手段は、
前記印刷装置からのシートを収納する移動可能な収納手段を有する第１タイプのシート処理装置が前記印刷装置に接続されている場合に、前記第１ジョブの印刷処理が完了する前に前記第２ジョブの印刷処理を開始することを禁止し、
且つ、前記制御手段は、
前記印刷装置からのシートを収納する移動不可能な収納手段を有する第２タイプのシート処理装置が前記印刷装置に接続されている場合に、前記第１ジョブの印刷処理が完了する前に前記第２ジョブの印刷処理を開始することを許可する
ことを特徴とする請求項１又は２に記載の印刷システム。
【請求項４】
前記制御手段は、前記第１ジョブの印刷処理が完了する前に前記第２ジョブの印刷処理を開始することを許可する場合に、前記第1ジョブの印刷処理と前記第２ジョブの印刷処理とをページ単位で交互に並行して前記印刷装置により実行させることを特徴とする請求項１乃至３のいずれか１項に記載の印刷システム。
【請求項５】
前記印刷装置は、原稿読取装置からの印刷データの印刷処理を要する第１タイプのジョブと外部装置からの印刷データの印刷処理を要する第２タイプのジョブを含む複数種類のジョブを受付可能な印刷装置であって、
前記制御手段は、
前記複数種類のジョブの印刷順序を、各ジョブの種類と前記印刷装置に対するシート処理装置の接続有無又は前記印刷装置に対して接続されているシート処理装置の種類に基づいて、スケジューリングする
ことを特徴とする請求項１乃至４のいずれか１項に記載の印刷システム。
【請求項６】
前記制御手段は、前記印刷装置からのシートを収納する複数の収納手段を有するシート処理装置が前記印刷装置に接続されている場合に、前記複数の収納手段の同一の収納手段に前記第１ジョブの印刷媒体と前記第２ジョブの印刷媒体が混在することを禁止し、且つ、前記複数の収納手段のうちの前記第１ジョブの印刷媒体の排紙先として利用対象の収納手段から前記第２ジョブの印刷媒体の排紙先と利用対象の収納手段へ切り替えるのに要する時間に基づいて、前記第１ジョブの印刷処理が完了する前に前記第２ジョブの印刷処理を開始することを許可するか禁止するかを決定する
ことを特徴とする請求項１乃至５のいずれか１項に記載の印刷システム。
【請求項７】
第１ジョブの後に印刷実行要求を受付けた第２ジョブを含む複数のジョブの印刷処理を特定タイプのシート処理装置に接続可能な印刷装置により実行可能にした印刷システムのジョブ処理方法であって、
前記ジョブ処理方法は、
前記印刷装置に前記特定タイプのシート処理装置が接続されている場合に、前記第１ジョブの印刷処理が完了する前に前記第２ジョブの印刷処理を開始することを許可し、
且つ、前記ジョブ処理方法は、
前記印刷装置に前記特定タイプのシート処理装置が接続されていない場合に、前記第１ジョブの印刷処理が完了する前に前記第２ジョブの印刷処理を開始することを禁止する
ことを特徴とするジョブ処理方法。
【請求項８】
前記ジョブ処理方法は、前記印刷装置に前記特定タイプのシート処理装置が接続されていない場合に、前記第１ジョブの印刷処理が完了する前に前記第２ジョブの印刷処理を開始することを禁止し、且つ、前記第１ジョブと前記第２ジョブのどちらのジョブの印刷処理を実行するかを優先順位に基づいて決定する
ことを特徴とする請求項７に記載のジョブ処理方法。
【請求項９】
前記ジョブ処理方法は、前記印刷装置からのシートを収納する移動可能な収納手段を有する第１タイプのシート処理装置が前記印刷装置に接続されている場合に、前記第１ジョブの印刷処理が完了する前に前記第２ジョブの印刷処理を開始することを禁止し、
且つ、前記ジョブ処理方法は、前記印刷装置からのシートを収納する移動不可能な収納手段を有する第２タイプのシート処理装置が前記印刷装置に接続されている場合に、前記第１ジョブの印刷処理が完了する前に前記第２ジョブの印刷処理を開始することを許可する
ことを特徴とする請求項７又は８に記載のジョブ処理方法。
【請求項１０】
前記ジョブ処理方法は、前記第１ジョブの印刷処理が完了する前に前記第２ジョブの印刷処理を開始することを許可する場合に、前記第１ジョブの印刷処理と前記第２ジョブの印刷処理とをページ単位で交互に並行して前記印刷装置により実行させる
ことを特徴とする請求項７乃至９のいずれか１項に記載のジョブ処理方法。
【請求項１１】
前記印刷装置は、原稿読取装置からの印刷データの印刷処理を要する第１タイプのジョブと外部装置からの印刷データの印刷処理を要する第２タイプのジョブを含む複数種類のジョブを受付可能な印刷装置であって、
前記ジョブ処理方法は、
前記複数種類のジョブの印刷順序を、各ジョブの種類と前記印刷装置に対するシート処理装置の接続有無又は前記印刷装置に対して接続されているシート処理装置の種類に基づいて、スケジューリングする
ことを特徴とする請求項７乃至１０のいずれか１項に記載のジョブ処理方法。
【請求項１２】
前記ジョブ処理方法は、前記印刷装置からのシートを収納する複数の収納手段を有するシート処理装置が前記印刷装置に接続されている場合に、前記複数の収納手段の同一の収納手段に前記第１ジョブの印刷媒体と前記第２ジョブの印刷媒体が混在することを禁止し、且つ、前記複数の収納手段のうちの前記第１ジョブの印刷媒体の排紙先として利用対象の収納手段から前記第２ジョブの印刷媒体の排紙先と利用対象の収納手段へ切り替えるのに要する時間に基づいて、前記第１ジョブの印刷処理が完了する前に前記第２ジョブの印刷処理を開始することを許可するか禁止するかを決定する
ことを特徴とする請求項７乃至１１のいずれか１項に記載のジョブ処理方法。
【請求項１３】
コンピュータに読込ませ実行させることで、請求項７乃至１２のいずれか１項に記載のジョブ処理方法を実行させるためのコンピュータ読取可能な記憶媒体。
【請求項１４】
請求項７乃至１２のいずれか１項に記載のジョブ処理方法を実行するための印刷装置。
【手続補正３】
【補正対象書類名】明細書
【補正対象項目名】０００１
【補正方法】変更
【補正の内容】
【０００１】
【発明が属する技術分野】
本発明はジョブに基づく印刷処理を行なう技術に関するものである。
【手続補正４】
【補正対象書類名】明細書
【補正対象項目名】０００７
【補正方法】変更
【補正の内容】
【０００７】
本発明は、上記の問題を解決する技術を提供しようとするものである。
【手続補正５】
【補正対象書類名】明細書
【補正対象項目名】０００８
【補正方法】変更
【補正の内容】
【０００８】
また、本発明は、最適なスケジュールを行ない、出力すべきジョブの生産性を向上させる技術を提供しようとするものである。
【手続補正６】
【補正対象書類名】明細書
【補正対象項目名】０００９
【補正方法】変更
【補正の内容】
【０００９】
【課題を解決するための手段】
この課題を解決するため、例えば本発明の印刷システムは以下の構成を備える。すなわち、
第１ジョブの後に印刷実行要求を受付けた第２ジョブを含む複数のジョブの印刷処理を特定タイプのシート処理装置に接続可能な印刷装置により実行可能にした印刷システムであって、
前記印刷装置に前記特定タイプのシート処理装置が接続されている場合に、前記第１ジョブの印刷処理が完了する前に前記第２ジョブの印刷処理を開始することを許可する制御手段を有し、
前記制御手段は、
前記印刷装置に前記特定タイプのシート処理装置が接続されていない場合に、前記第１ジョブの印刷処理が完了する前に前記第２ジョブの印刷処理を開始することを禁止することを特徴とする。